【手続補正書】
【提出日】平成15年11月25日(2003.11.25)
【手続補正１】
【補正対象書類名】明細書
【補正対象項目名】請求項２
【補正方法】変更
【補正の内容】
【請求項２】
エーテル結合を０乃至は１個有する、炭素数４以上の多価アルコールが、アラビノース、リキソース、リボース、キシロース、トリメチロールプロパン、トリメチロールエタン、ジプロピレングリコール、ジグリセリン、エリスリトール、スレイトール、トリメチロールプロパン又はトリメチロールエタンであることを特徴とする、請求項１に記載のヘアマニュキア用のリムーバー。
【手続補正２】
【補正対象書類名】明細書
【補正対象項目名】請求項７
【補正方法】変更
【補正の内容】
【請求項７】
ヘアマニュキアに於ける、エーテル結合を０乃至は１個有する、炭素数４以上の多価アルコールが、アラビノース、リキソース、リボース、キシロース、トリメチロールプロパン、トリメチロールエタン、ジプロピレングリコール、ジグリセリン、エリスリトール、スレイトール、トリメチロールプロパン又はトリメチロールエタンであることを特徴とする、請求項６に記載のヘアマニュキアセット。
【手続補正３】
【補正対象書類名】明細書
【補正対象項目名】０００２
【補正方法】変更
【補正の内容】
【０００２】
【従来の技術】
毛髪はハードケラチンで構成されるキューティクルの積層した形状をしており、この様な毛髪に着色を行う場合には、ケラチンの硬い組織が障害となり、着色成分の毛髪表面への吸着や内部への浸透が均一になりにくく、その為、色味ののりのムラや、染色ムラなどが生じやすく、その改善が望まれていた。この様な問題を解決する手段として、本発明者らは、アラビノース、リキソース、リボース、キシロース、トリメチロールプロパン、トリメチロールエタン、ジプロピレングリコール、ジグリセリン、エリスリトール、スレイトール、トリメチロールプロパン、トリメチロールエタン等のエーテル結合を０乃至は１個有する、炭素数４以上の多価アルコール及び／又は炭酸エチレンや炭酸プロピレン等の炭酸アルキレンを含有させることにより、ヘアマニュキアの染毛成分である、酸性染料の毛髪内部への浸透を促進し、堅牢でムラのない染毛が為し得ることを見いだした。しかしながら、この様に堅牢でムラのない染毛料が開発されたことにより、新たな問題が生じた。即ち、この様に染色が堅牢であるが故に、毛髪以外の皮膚の部分に誤って塗布されて染色されると、これを落とすことが非常に困難な場合があることである。染色深度が深い故に、従来のヘアマニュキア用のリムーバーでは充分に落とせない場合があるのである。即ち、染色深度の深いヘアマニュキア用のリムーバーの開発が望まれていた。


【手続補正４】
【補正対象書類名】明細書
【補正対象項目名】０００３
【補正方法】変更
【補正の内容】
【０００３】
一方、ヘアマニュキア用のリムーバーにおいて、アラビノース、リキソース、リボース、キシロース、トリメチロールプロパン、トリメチロールエタン、ジプロピレングリコール、ジグリセリン、エリスリトール、スレイトール、トリメチロールプロパン、トリメチロールエタン等のエーテル結合を０乃至は１個有する、炭素数４以上の多価アルコールと炭酸アルキレンから選ばれる１種乃至は２種以上とを含有したものは知られていないし、この様なリムーバーが染色深度の深いヘアマニュキアの除去・補正用に優れていることも全く知られていない。かかるヘアマニュキア用のリムーバーと染色深度の深いヘアマニュキアを組み合わせてヘアマニュキアセットして用いることも全く知られていない。


【手続補正５】
【補正対象書類名】明細書
【補正対象項目名】０００５
【補正方法】変更
【補正の内容】
【０００５】
【課題の解決手段】
この様な状況に鑑みて、本発明者らは、染色深度の深いヘアマニュキア用のリムーバーを開発し、染色深度の深い染毛料の特性を生かした実用的なヘアマニュキアセットを提供すべく鋭意研究努力を重ねた結果、エーテル結合を０乃至は１個有する、炭素数４以上の多価アルコールから選ばれる１種乃至は２種以上と炭酸アルキレンから選ばれる１種乃至は２種以上とを含有することを特徴とする、ヘアマニュキア用のリムーバーに優れたリムーブ作用を見いだし、このものと染色深度の深い、エーテル結合を０乃至は１個有する、炭素数４以上の多価アルコールから選ばれる１種乃至は２種以上及び／又は炭酸アルキレンから選ばれる１種乃至は２種以上を含有するヘアマニュキアとを組み合わせることにより、上記課題のヘアマニュキアセットが得られることを見いだし、発明を完成させるに至った。即ち、本発明は、以下に示す技術に関するものである。
（１）エーテル結合を０乃至は１個有する、炭素数４以上の多価アルコールから選ばれる１種乃至は２種以上と炭酸アルキレンから選ばれる１種乃至は２種以上とを含有することを特徴とする、ヘアマニュキア用のリムーバー。
（２）エーテル結合を０乃至は１個有する、炭素数４以上の多価アルコールが、アラビノース、リキソース、リボース、キシロース、トリメチロールプロパン、トリメチロールエタン、ジプロピレングリコール、ジグリセリン、エリスリトール、スレイトール、トリメチロールプロパン又はトリメチロールエタンであることを特徴とする、（１）に記載のヘアマニュキア用のリムーバー。
（３）エーテル結合を０乃至は１個有する、炭素数４以上の多価アルコールの含有量が、総量で０．０１〜１０重量％であることを特徴とする、（１）又は（２）に記載のヘアマニュキア用のリムーバー。
（４）炭酸アルキレンが、炭酸エチレン及び／又は炭酸プロピレンである、（１）〜（３）何れか１項に記載のヘアマニュキア用のリムーバー。
（５）炭酸アルキレンの含有量が、総量で０．０１〜１０重量％であることを特徴とする、（１）〜（４）何れか１項に記載のヘアマニュキア用のリムーバー。
（６）エーテル結合を０乃至は１個有する、炭素数４以上の多価アルコールから選ばれる１種乃至は２種以上及び／又は炭酸アルキレンから選ばれる１種乃至は２種以上を含有するヘアマニュキアと（１）〜（５）何れか１項に記載のヘアマニュキア用のリムーバーとからなる、ヘアマニュキアセット。
（７）ヘアマニュキアに於ける、エーテル結合を０乃至は１個有する、炭素数４以上の多価アルコールが、アラビノース、リキソース、リボース、キシロース、トリメチロールプロパン、トリメチロールエタン、ジプロピレングリコール、ジグリセリン、エリスリトール、スレイトール、トリメチロールプロパン又はトリメチロールエタンであることを特徴とする、（６）に記載のヘアマニュキアセット。
（８）ヘアマニュキアに於ける、炭酸アルキレンが炭酸エチレン及び／又は炭酸プロピレンであることを特徴とする、（６）又は（７）に記載のヘアマニュキアセット。
以下、本発明について、実施の形態を中心に詳細に説明を加える。


【手続補正６】
【補正対象書類名】明細書
【補正対象項目名】０００６
【補正方法】変更
【補正の内容】
【０００６】
【発明の実施の形態】
（１）本発明のヘアマニュキア用のリムーバーの必須成分である多価アルコール
本発明のヘアマニュキア用のリムーバーはエーテル結合を０乃至は１個有する、炭素数４以上の多価アルコールから選ばれる１種乃至は２種以上含有することを特徴とする。この様な多価アルコールとしては、環状構造を有するものであっても、分岐構造を有するものであっても、直鎖状のものであっても良く、好ましい炭素数としては４〜１２であり、更に好ましくは、４〜６である。これは浸透促進性が分子の立体的形状よりもサイズによって異なるためである。又、この様な多価アルコールに於けるエーテル結合は０乃至は１個であることが必要である。これは、この様なエーテル結合が多数存在する多糖類やポリエチレングリコールのような水溶性高分子においては前記浸透性促進効果が得られない場合があるからである。この様な多価アルコールの内で、好ましいものとしては、例えば、アラビノース、リキソース、リボース、キシロース、トリメチロールプロパン、トリメチロールエタン、ジプロピレングリコール、ジグリセリン、エリスリトール、スレイトール、ペンタエリスリトール、１，２−ペンタンジオール、トリメチロールプロパン又はトリメチロールエタンが例示できる。ここで、これらの多価アルコールは光学異性体の存在するものがあるが、この様な場合、本発明に於いてはそれぞれの光学異性体のみを用いることも可能であるし、ラセミ体の形態で用いることもできる。この様な多価アルコールは本発明のヘアマニュキア用のリムーバーに於いては、唯１種を含有させることも可能であるし、２種以上組み合わせて含有させることも可能である。本発明のヘアマニュキア用のリムーバーに於ける、これら多価アルコールの好ましい含有量は、総量で０．０１〜１０重量％であり、更に好ましくは０．５〜５重量％である。これは、この様な多価アルコールは多すぎても効果が頭打ちになる場合があり、少なすぎると効果が発現しない場合があるからである。


【手続補正７】
【補正対象書類名】明細書
【補正対象項目名】００１６
【補正方法】変更
【補正の内容】
【００１６】
【表２】
2001302460.tif 000001